(57)【要約】  基地局とユーザ装置とを有する無線通信システムにおけるユーザ装置であって、前記基地局から、複数のユーザ装置識別子の候補を取得する取得部と、前記複数のユーザ装置識別子の候補のうち、いずれか１つのユーザ装置識別子を選択する選択部と、前記基地局との間で当該ユーザ装置が用いるユーザ装置識別子の衝突解決を行わずに、選択された前記いずれか１つのユーザ装置識別子を用いて上り共有チャネルの信号を送信する送信部と、を有するユーザ装置を提供する。
2017169825.tif 000002
【特許請求の範囲】
【請求項１】
基地局とユーザ装置とを有する無線通信システムにおけるユーザ装置であって、
前記基地局から、複数のユーザ装置識別子の候補を取得する取得部と、
前記複数のユーザ装置識別子の候補のうち、いずれか１つのユーザ装置識別子を選択する選択部と、
前記基地局との間で当該ユーザ装置が用いるユーザ装置識別子の衝突解決を行わずに、選択された前記いずれか１つのユーザ装置識別子を用いて上り共有チャネルの信号を送信する送信部と、
を有するユーザ装置。
【請求項２】
前記複数のユーザ装置識別子の候補は前記基地局から当該ユーザ装置に送信されるメッセージに含まれており、
前記送信部は任意のランダム値を生成し、生成したランダム値を前記上り共有チャネルの信号に含めて送信する、
請求項１に記載のユーザ装置。
【請求項３】
前記選択部は、前記複数のユーザ装置識別子の候補に対して所定の演算を行うことで、前記複数のユーザ装置識別子の候補を補正し、補正された前記複数のユーザ装置識別子の候補のうち、いずれか１つのユーザ装置識別子を選択する、
請求項１又は２に記載のユーザ装置。
【請求項４】
基地局とユーザ装置とを有する無線通信システムにおけるユーザ装置が実行する通信方法であって、
前記基地局から、複数のユーザ装置識別子の候補を取得するステップと、
前記複数のユーザ装置識別子の候補のうち、いずれか１つのユーザ装置識別子を選択するステップと、
前記基地局との間で当該ユーザ装置が用いるユーザ装置識別子の衝突解決を行わずに、選択された前記いずれか１つのユーザ装置識別子を用いて上り共有チャネルの信号を送信する送信ステップと、
を有する通信方法。
【発明の詳細な説明】
【技術分野】
【０００１】
本発明は、ユーザ装置及び通信方法に関する。
【背景技術】
【０００２】
Long Term Evolution（ＬＴＥ）では、システム容量の更なる大容量化、データ伝送速度の更なる高速化、無線区間における更なる低遅延化などを実現するために、５Ｇと呼ばれる次世代の無線通信システムの検討が進んでいる。【０００３】
５Ｇでは、１０Ｇｂｐｓ以上のスループットを実現しつつ無線区間の遅延を１ｍｓ以下にするという要求条件を満たすために、様々な要素技術の検討が行われている。また、Internet of Things（ＩｏＴ）に代表されるようなサービスに対応するため、膨大な数のMachine Type Communication（ＭＴＣ）端末が５Ｇの無線ネットワークを介してデータ送信を行うことを可能にするための要素技術の検討が行われている。なお、大量のＭＴＣ端末がネットワークにアクセス可能にする技術は、５ＧではMassive machine-type-communications（ｍＭＴＣ）と呼ばれている。
【先行技術文献】
【非特許文献】
【０００４】
【非特許文献１】３ＧＰＰ  ＴＲ３８．９１３  Ｖ０．２．０（２０１６−０２）
【非特許文献２】３ＧＰＰ  ＴＳ３６．３００  Ｖ１３．２．０（２０１５−１２）
【発明の概要】
【発明が解決しようとする課題】
【０００５】
ここで、ネットワークに対して大量のＭＴＣ端末からのアクセスが生じた場合、ネットワークとの間で送受信されるシグナリングメッセージ（制御信号）の量が膨大になってしまうことが懸念される。例えば、従来のＬＴＥでは、ＲＡ手順（ランダムアクセス手順）を用いて基地局がUplink（ＵＬ）通信を全て制御するアクセス方式を採用しているため、仮に大量のＭＴＣ端末からのアクセスが生じてしまうと、ＲＡ手順に用いられるシグナリングメッセージの量が膨大になってしまうことになる。【０００６】
そこで、シグナリングメッセージの量を低減するために、基地局がＵＬ通信を全て制御するのではなく、ＭＴＣ端末間でのＵＬ信号の衝突（Contention）を許容することで、シグナリングメッセージの量を低減させるようなアクセス方式が用いられることが考えられる。従来のＬＴＥでは、非特許文献２に規定されているように、Ｍｅｓｓａｇｅ１〜Ｍｅｓｓａｇｅ４と呼ばれる４つのメッセージを用いてＲＡ手順を行うことが規定されているが、例えば、Ｍｅｓｓａｇｅ１〜Ｍｅｓｓｇｅ４に相当するシグナリングメッセージを用いずに直接ネットワークにデータを送信するアクセス方式、又は、Ｍｅｓｓａｇｅ３及びＭｅｓｓａｇｅ４を省略し、Ｍｅｓｓａｇｅ１及びＭｅｓｓｇｅ２に相当するシグナリングメッセージのみを使用するアクセス方式が用いられることが考えられる。【０００７】
ここで、従来のＬＴＥにおけるＲＡ手順では、基地局は、Ｍｅｓｓａｇｅ２を用いて一時的なＵＥ識別子（テンポラリＣ−ＲＮＴＩ）をユーザ装置に割当てておき、Ｍｅｓｓａｇｅ３及びＭｅｓｓａｇｅ４を用いてユーザ装置間でのＵＥ識別子の衝突を解決することで（つまり、一時的なＵＥ識別子が複数のユーザ装置に割当てられていないことを確認することで）、ＵＥ識別子（Ｃ−ＲＮＴＩ）の割当てを適切に行うことを可能にしている。従って、シグナリングメッセージの量を削減するために上述のアクセス方式を用いる場合、ＵＥ識別子の割当てをどのように行うのかという課題が生じることになる。【０００８】
しかしながら、３ＧＰＰにおいて、上述のアクセス方式を用いる場合にユーザ装置にＵＥ識別子の割当てを適切に行う技術は存在しない。【０００９】
開示の技術は上記に鑑みてなされたものであって、ユーザ装置にＵＥ識別子を適切に割り当てることが可能な技術を提供することを目的とする。
【課題を解決するための手段】
【００１０】
開示の技術のユーザ装置は、基地局とユーザ装置とを有する無線通信システムにおけるユーザ装置であって、前記基地局から、複数のユーザ装置識別子の候補を取得する取得部と、前記複数のユーザ装置識別子の候補のうち、いずれか１つのユーザ装置識別子を選択する選択部と、前記基地局との間で当該ユーザ装置が用いるユーザ装置識別子の衝突解決を行わずに、選択された前記いずれか１つのユーザ装置識別子を用いて上り共有チャネルの信号を送信する送信部と、を有する。
【発明の効果】
【００１１】
開示の技術によれば、ユーザ装置にＵＥ識別子を適切に割り当てることが可能な技術が提供される。
【図面の簡単な説明】
【００１２】
【図１】実施の形態に係る無線通信システムの構成例を示す図である。
【図２】ＬＴＥで規定されているＲＡ手順（ランダムアクセス手順）を示す図である。
【図３】実施の形態で用いられるアクセス方式の一例を説明するための図である。
【図４】実施の形態におけるＵＥ−ＩＤの割当て方法（その１）の処理手順の一例を示すシーケンス図である。
【図５】実施の形態におけるＵＥ−ＩＤの割当て方法（その２）の処理手順の一例を示すシーケンス図である。
【図６】実施の形態に係るＵＥ−ＩＤの衝突回避方法の処理手順の一例を示すシーケンス図である。
【図７】実施の形態に係るユーザ装置の機能構成の一例を示す図である。
【図８】実施の形態に係る基地局の機能構成の一例を示す図である。
【図９】実施の形態に係るユーザ装置のハードウェア構成の一例を示す図である。
【図１０】実施の形態に係る基地局のハードウェア構成の一例を示す図である。
【発明を実施するための形態】
【００１３】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥ（５Ｇを含む）に準拠した方式のシステムを想定しているが、本発明はＬＴＥ（５Ｇを含む）に限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１４】
本実施の形態において、無線ネットワーク内でユーザ装置を一意に特定するためにユーザ装置毎に割当てられる識別子をＵＥ−ＩＤと呼ぶが、これに限定されることを意図しているのではない。例えば、本実施の形態におけるＵＥ−ＩＤには、ＵＥ識別子、Ｃ−ＲＮＴＩ、及び、５Ｇで新たに規定される可能性のある名称の識別子をも含む意味で使用する。
【００１５】
＜システム構成＞
図１は、実施の形態に係る無線通信システムの構成例を示す図である。図１に示すように、本実施の形態に係る無線通信システムは、基地局ｅＮＢとユーザ装置ＵＥとを有する。図１の例では、基地局ｅＮＢ及びユーザ装置ＵＥが１つずつ図示されているが、複数の基地局ｅＮＢを有していてもよいし、複数のユーザ装置ＵＥを有していてもよい。
【００１６】
＜ＬＴＥにおけるＲＡ手順について＞
ここで、図２を用いて、ＬＴＥで規定されているＲＡ手順（ランダムアクセス手順）について説明する。ＲＡ手順を開始する前に、ユーザ装置ＵＥは、基地局ｅＮＢから送信される同期信号を受信することで、無線フレーム同期（シンボルタイミング同期を含む）を行うと共に、報知情報（Master Information Block（ＭＩＢ）及びSystem Information Block（ＳＩＢ））を受信することで、システム帯域幅、システムフレーム番号（ＳＦＮ：System Frame Number）、セルに関する各種の情報、及び、ＲＡ手順を行うための各種の情報を取得する。
【００１７】
まず、ユーザ装置ＵＥは、複数のＲＡプリアンブルの候補から任意のＲＡプリアンブルを選択し、選択したＲＡプリアンブル（ＲＡＣＨプリアンブルとも呼ばれる）を基地局ｅＮＢに送信する（Ｓ１１）。ＲＡプリアンブルを送信するためのメッセージは、Ｍｅｓｓａｇｅ１と呼ばれ、ユーザ装置ＵＥがＲＡ手順を開始する際に用いるメッセージでもある。続いて、基地局ｅＮＢは、ユーザ装置ＵＥから送信されたＲＡプリアンブルを検出し、ＲＡＣＨレスポンスをユーザ装置ＵＥに送信する（Ｓ１２）。ＲＡＣＨレスポンスは、Ｍｅｓｓａｇｅ２と呼ばれ、検出したＲＡプリアンブル、一時的なＵＥ−ＩＤ（テンポラリＣ−ＲＮＴＩ（Temporary Cell Radio Network Temporary Identifier））、Ｔｉｍｉｎｇ  Ａｌｉｇｎｍｅｎｔ制御情報（送信タイミング情報）、及び、ＵＬ（Uplink）スケジューリング情報（Ｍｅｓｓａｇｅ３送信のためのＵＬグラント）が含まれる。
【００１８】
続いて、ユーザ装置ＵＥは、ＲＡＣＨレスポンスに含まれるＵＬスケジューリング情報で指定された無線リソースを用いて、ＲＡＣＨレスポンスに含まれる送信タイミング情報に従ってＣｏｎｔｒｏｌ  ｍｅｓｓａｇｅを基地局ｅＮＢに送信する（Ｓ１３）。Ｃｏｎｔｒｏｌ  ｍｅｓｓａｇｅは、Ｍｅｓｓａｇｅ３とも呼ばれ、上位レイヤ（ＲＲＣ）の信号を含む。また、ユーザ装置ＵＥは、ＲＡＣＨレスポンスに含まれる一時的なＵＥ−ＩＤを用いて、端末識別子（UE Contention Resolution Identity）を含むＣｏｎｔｒｏｌ  ｍｅｓｓａｇｅを基地局ｅＮＢに送信する。
【００１９】
続いて、基地局ｅＮＢは、一時的なＵＥ−ＩＤ（テンポラリＣ−ＲＮＴＩ）を用いてＣｏｎｔｒｏｌ  ｍｅｓｓａｇｅを受信し、ＲＲＣ接続又はＲＲＣ再接続のためのＲＲＣメッセージ（RRC Connection setup 又は RRC Connection Reestablishment）をユーザ装置ＵＥに送信する（Ｓ１４）。当該ＲＲＣメッセージは、Ｍｅｓｓａｇｅ４とも呼ばれる。ここで、基地局ｅＮＢは、Ｃｏｎｔｒｏｌ  ｍｅｓｓａｇｅに含まれていた端末識別子（UE Contention Resolution Identity）を当該ＲＲＣメッセージに含めて送信する。なお、基地局ｅＮＢは、複数のユーザ装置ＵＥからＣｏｎｔｒｏｌ  ｍｅｓｓａｇｅを受信した場合、いずれか１つのユーザ装置ＵＥからのＣｏｎｔｒｏｌ  ｍｅｓｓａｇｅを選択し、選択したＣｏｎｔｒｏｌ  ｍｅｓｓａｇｅに含まれる端末識別子（UE Contention Resolution Identity）を含むＲＲＣメッセージを送信する。
【００２０】
ユーザ装置ＵＥは、自身がＣｏｎｔｒｏｌ  ｍｅｓｓａｇｅに含めた端末識別子がＲＲＣメッセージに含まれていた場合にＲＡ手順に成功したと判断し、含まれていない場合にＲＡ手順に失敗した（他のユーザ装置ＵＥとＲＡ手順が衝突した）と判断する。
【００２１】
続いて、ＲＡ手順に成功したと判断したユーザ装置ＵＥは、基地局ｅＮＢとの間で共有チャネル（Shared Channel）を用いてデータの送受信を開始する（Ｓ１５）。なお、ユーザ装置ＵＥは、一時的なＵＥ−ＩＤを自身に割当てられたＵＥ−ＩＤ（Ｃ−ＲＮＴＩ）とみなすようにする。一方、ＲＡ手順に失敗したと判断したユーザ装置ＵＥは、ＲＡプリアンブルを送信する際の送信電力を上げて再度ステップＳ１１の処理手順を行う。本処理手順は、送信電力制御（Power ramping）と呼ばれる。
【００２２】
以上説明したＲＡ手順を整理すると、図２に示すように、Ｍｅｓｓａｇｅ１により「送信電力制御」の制御が行われ、Ｍｅｓｓａｇｅ２により「Ｔｉｍｉｎｇ  Ａｌｉｇｈｍｅｎｔ制御」、「ＵＥ−ＩＤの割当て」及び「ＵＬスケジューリング情報の割当て」の制御が行われ、Ｍｅｓｓａｇｅ３及びＭｅｓｓａｇｅ４により「ＵＥ−ＩＤの衝突解決」の制御が行われていると言うことができる。
【００２３】
＜本実施の形態で用いるアクセス方式について＞
本実施の形態では、基地局ｅＮＢとの間で無線リンクを確立していないユーザ装置ＵＥがネットワークにアクセスする際に用いるアクセス方式として、従来のＬＴＥで用いられるＲＡ手順よりもシグナリングメッセージの量を低減させたアクセス方式を用いる。
【００２４】
図３は、実施の形態で用いられるアクセス方式の一例を説明するための図である。アクセス方式１は、少なくとも基地局ｅＮＢとの間でメッセージが１回送受信されるアクセス方式である。アクセス方式１は、例えば「無線フレーム同期」、「報知情報の受信」、「Ｔｉｍｉｎｇ  Ａｌｉｇｈｍｅｎｔ制御」、「送信電力制御」及び「ＵＥ−ＩＤの割当て」の制御をサポートし、ＬＴＥにおけるＲＡ手順のうちＭｅｓｓａｇｅ１及びＭｅｓｓａｇｅ２に相当するシグナリングメッセージのみが用いられるアクセス方式であってもよい。
【００２５】
アクセス方式２は、ＲＡ手順を行わずに直接ネットワークにデータを送信するアクセス方式である。アクセス方式２は、例えば、「無線フレーム同期」及び「報知情報の受信」の制御のみをサポートするアクセス方式であってもよい。
【００２６】
なお、以上説明したアクセス方式１及び２はあくまで一例であり、これに限られない。本実施の形態では、従来のＬＴＥにおける「ＵＥ−ＩＤの衝突解決」の制御が行われないアクセス方式であれば、どのようなアクセス方式に対しても適用することができる。
【００２７】
＜ＵＥ−ＩＤの割当て方法について＞
本実施の形態では、基地局ｅＮＢからユーザ装置ＵＥに対して、予め複数のＵＥ−ＩＤの候補を通知するようにしておくようにする。また、ユーザ装置ＵＥは、複数のＵＥ−ＩＤの候補のうちいずれか１つのＵＥ−ＩＤを選択し、選択したＵＥ−ＩＤを用いてＵＬ信号（上り共有チャネルの信号）を送信する。
【００２８】
図４は、実施の形態におけるＵＥ−ＩＤの割当て方法（その１）の処理手順の一例を示すシーケンス図である。ＵＥ−ＩＤの割当て方法（その１）は、前述のアクセス方式２が適用される場合に用いられることを想定している。
【００２９】
まず、基地局ｅＮＢは、報知情報を用いてユーザ装置ＵＥに複数のＵＥ−ＩＤの候補をブロードキャスト（報知）する（Ｓ２１）。続いて、ユーザ装置ＵＥは、複数のＵＥ−ＩＤの候補から１つのＵＥ−ＩＤをランダムに選択し（Ｓ２２）、選択したＵＥ−ＩＤを用いて、ＵＬ信号（上り共有チャネルの信号）内にマッピングされる参照信号のスクランブル系列の生成及びＵＬ信号に付与するCyclic Redundancy Code（ＣＲＣ）の生成等を行い、ＵＬ信号を送信する（Ｓ２３）。続いて、基地局ｅＮＢは、ステップＳ２１の処理手順でユーザ装置ＵＥにブロードキャストした複数のＵＥ−ＩＤの候補の全てを用いて、ユーザ装置ＵＥから受信したＵＬ信号をブラインド検出（Ｓ２４）する（つまり、全てのＵＥ−ＩＤの候補を用いて、参照信号のスクランブル系列及びＣＲＣチェック等を順に試行する）。
【００３０】
図５は、実施の形態におけるＵＥ−ＩＤの割当て方法（その２）の処理手順の一例を示すシーケンス図である。ＵＥ−ＩＤの割当て方法（その２）は、前述のアクセス方式１が適用される場合に用いられることを想定している。
【００３１】
まず、ユーザ装置ＵＥは、基地局ｅＮＢにアクセス要求メッセージを送信する（Ｓ３１）。なおアクセス要求メッセージとは、ユーザ装置ＵＥが無線ネットワークにアクセスする際に最初に送信するメッセージ（ＬＴＥのＲＡ手順におけるＭｅｓｓａｇｅ１に相当するメッセージ）を意図している。続いて、基地局ｅＮＢは、複数のＵＥ−ＩＤの候補を含むアクセス応答メッセージをユーザ装置ＵＥに送信する（Ｓ３２）。なおアクセス応答メッセージとは、アクセス要求メッセージに対する基地局ｅＮＢからの応答メッセージ（ＬＴＥのＲＡ手順におけるＭｅｓｓａｇｅ２に相当するメッセージ）を意図している。ステップＳ３３乃至ステップＳ３５の処理手順は、それぞれ図４のステップＳ２２乃至ステップＳ２４と同一であるため説明は省略する。
【００３２】
なお、ＵＥ−ＩＤの割当て方法（その１）および（その２）において、基地局ｅＮＢはＵＥ−ＩＤの候補を明示的にユーザ装置ＵＥに指示してもよいし（例えばＵＥ−ＩＤ＃０、＃１、…..、＃６４）、指示ビット数を低減するためにＵＥ−ＩＤの範囲を指定してもよい。例えば、ある一つのＵＥ−ＩＤの下限（例えばＵＥ−ＩＤ＃０）と上限（例えばＵＥ−ＩＤ＃６４）を指示してもよいし、下限（例えばＵＥ−ＩＤ＃０）と許容される範囲（例えば＋６４）を指示してもよい。もしくは、下限値（例えばＵＥ−ＩＤ＃０）のみを通知し、許容される範囲（例えば＋６４）は全ユーザ装置ＵＥで共通としてもよい。上記いずれの例においても、指示されたＵＥ−ＩＤの範囲はＵＥ−ＩＤ＃０〜＃６４となる。
【００３３】
＜ＵＥ−ＩＤの衝突回避について＞
本実施の形態で用いるアクセス方式では、「ＵＥ−ＩＤの衝突解決」の制御が行われない。従って、上述の「＜ＵＥ−ＩＤの割当て方法について＞」で説明したＵＥ−ＩＤの割当て方法では、複数のユーザ装置ＵＥが同一のＵＥ−ＩＤを選択してしまう可能性がある。そこで、本実施の形態では、ユーザ装置ＵＥは、ＵＬ信号にランダム値を含めて基地局ｅＮＢに送信するようにしてもよい。仮に複数のユーザ装置ＵＥが同一のＵＥ−ＩＤを選択した場合であっても、ランダム値まで同一の値が選択される可能性は低いことから、基地局ｅＮＢはＵＥ−ＩＤの衝突を検出することが可能になる。
【００３４】
なお、本ランダム値のビット数は、全てのユーザ装置ＵＥで予め規定された値としてもよいし、基地局ｅＮＢから報知情報で報知されてもよい。
【００３５】
図６は、実施の形態に係るＵＥ−ＩＤの衝突回避方法の処理手順の一例を示すシーケンス図である。なお、ユーザ装置ＵＥ１及びユーザ装置ＵＥ２は、図４又は図５で説明した処理手順を完了しており、複数のＵＥ−ＩＤの候補を把握している前提とする。
【００３６】
まず、ユーザ装置ＵＥ１は、複数のＵＥ−ＩＤの候補から１つのＵＥ−ＩＤをランダムに選択すると共に、ＵＬ信号に含めるランダム値を選択する。なお、ＵＬ信号に含めるランダム値の桁数、値の範囲等は任意でよい。続いて、ユーザ装置ＵＥ１は、選択したＵＥ−ＩＤを用いて、ＵＬ信号（上り共有チャネルの信号）内にマッピングされる参照信号のスクランブル系列の生成及びＵＬ信号に付与するＣＲＣの生成等を行い、ランダム値を含むＵＬ信号を送信する（Ｓ４１）。続いて、ユーザ装置ＵＥ２も、ユーザ装置ＵＥ１と同様の動作を行い、ランダム値を含むＵＬ信号を送信する（Ｓ４２）。ここで、ユーザ装置ＵＥ１とユーザ装置ＵＥ２は、同一のＵＥ−ＩＤ（ＩＤ＃１）及び異なるランダム値を選択したと仮定する。
【００３７】
続いて、基地局ｅＮＢは、複数のＵＥ−ＩＤの候補の全てを用いて、ユーザ装置ＵＥ１及びユーザ装置ＵＥ２から受信した２つのＵＬ信号をブラインド検出する。ここで、基地局ｅＮＢは、ユーザ装置ＵＥ１及びユーザ装置ＵＥ２からそれぞれ受信した２つのＵＬ信号は、同一のＵＥ−ＩＤ（ＩＤ＃１）を用いて生成された信号であると認識することになる。続いて、基地局ｅＮＢは、受信した２つのＵＬ信号が同一のユーザ装置ＵＥから送信された信号なのか、それとも異なるユーザ装置ＵＥから送信された信号なのかを判断するため、各々のＵＬ信号に含まれているランダム値を確認する。ここでは、各々のＵＬ信号に異なるランダム値が含まれているため、基地局ｅＮＢは、受信した２つのＵＬ信号は異なるユーザ装置ＵＥから送信された信号であると判断することができる（Ｓ４３）。
【００３８】
続いて、基地局ｅＮＢは、２つのＵＬ信号のうちいずれか一方（例えば、先に受信したＵＬ信号）に対してＡＣＫのみを送信し（Ｓ４４）、他方のＵＬ信号についてはＡＣＫ及び新たに割当てるＵＥ−ＩＤ（ＩＤ＃１とは異なるＵＥ−ＩＤ）を送信する（Ｓ４５）。なお、ステップＳ４５の処理手順で、基地局ｅＮＢは、新たなＵＥ−ＩＤを割当てるのではなく、ＮＡＣＫを返して処理を終了するようにしてもよい。
【００３９】
なお、ステップＳ４１及びステップＳ４２の処理手順でユーザ装置ＵＥがＵＬ信号を送信する無線リソースは、ユーザ装置ＵＥが選択したランダム値に従って決定されるようにしてもよい。例えば、ランダム値に対応する特定の無線リソース（時間及び周波数リソース）をユーザ装置ＵＥに事前設定（Preconfigure）しておき、ユーザ装置ＵＥは、ランダム値に対応する無線リソースを用いてＵＬ信号を送信するようにしてもよい。これにより、複数のユーザ装置ＵＥがＵＬ信号を送信する際の無線リソースがランダム化されることになり、複数のユーザ装置ＵＥが送信するＵＬ信号が干渉してしまう（同一無線リソースでＵＬ信号が送信されてしまう）可能性を減らすことが可能になる。
【００４０】
また、他の例として、ユーザ装置ＵＥは、アクセス応答（図５のＳ３２）により複数のＵＥ−ＩＤの候補を取得する場合、選択したランダム値に基づいてバックオフタイマを算出し、基地局ｅＮＢからアクセス応答を受信（図５のＳ３２）してからバックオフタイマ満了後にＵＬ信号（図６のＳ４１又はＳ４２）を送信するようにしてもよい。これにより、ユーザ装置ＵＥがアクセス応答を受信してからＵＬ信号を送信するまでの時間がランダム化されることになり、複数のユーザ装置ＵＥが送信するＵＬ信号が干渉してしまう（同一無線リソースでＵＬ信号が送信されてしまう）可能性を減らすことが可能になる。
【００４１】
＜ＵＥ−ＩＤ候補の補正について＞
ユーザ装置ＵＥは、基地局ｅＮＢから通知された複数のＵＥ−ＩＤの候補（図４のＳ２１又は図５のＳ３２で通知された候補）からＵＥ−ＩＤを選択するのではなく、複数のＵＥ−ＩＤの候補に対して所定の演算を行うことでＵＥ−ＩＤの候補を補正し、補正されたＵＥ−ＩＤの候補の中からＵＥ−ＩＤを選択するようにしてもよい。なお、ユーザ装置ＵＥで用いられる補正方法については、基地局ｅＮＢ側も把握しておく必要がある。以下、具体的な補正方法の例を示す。
【００４２】
［補正方法１（足し算）］
ユーザ装置ＵＥは、複数のＵＥ−ＩＤの候補に対して、ＵＬ信号を送信する際のＳＦＮ（若しくはサブフレーム番号又はスロット番号でもよい）を加えることで複数のＵＥ−ＩＤの候補を補正する。例えば、通知された複数のＵＥ−ＩＤの候補が「ＩＤ＃１、ＩＤ＃２、ＩＤ＃３」であり、ＵＬ信号を送信する際のＳＦＮが「２」であった場合、補正後のＵＥ−ＩＤの候補は「ＩＤ＃３、ＩＤ＃４、ＩＤ＃５」である。
【００４３】
［補正方法２（掛け算）］
ユーザ装置ＵＥは、複数のＵＥ−ＩＤの候補に対して、ＵＬ信号を送信する際のＳＦＮ（若しくはサブフレーム番号又はスロット番号でもよい）を乗算することで複数のＵＥ−ＩＤの候補を補正する。例えば、通知された複数のＵＥ−ＩＤの候補が「ＩＤ＃１、ＩＤ＃２、ＩＤ＃３」であり、ＵＬ信号を送信する際のＳＦＮが「２」であった場合、補正後のＵＥ−ＩＤの候補は「ＩＤ＃２、ＩＤ＃４、ＩＤ＃６」である。
【００４４】
［補正方法３（ＳＦＮ／サブフレーム／スロットで直交）］
ユーザ装置ＵＥは、複数のＵＥ−ＩＤの候補に対して、ＵＬ信号を送信する際のＳＦＮ（若しくはサブフレーム番号又はスロット番号でもよい）×「複数のＵＥ−ＩＤの候補数」を加えることで複数のＵＥ−ＩＤの候補を補正する。例えば、通知された複数のＵＥ−ＩＤの候補が「ＩＤ＃１、ＩＤ＃２、ＩＤ＃３」であり、再度ＵＬ信号を送信する際のＳＦＮが「１」であった場合、補正後のＵＥ−ＩＤの候補は「ＩＤ＃４、ＩＤ＃５、ＩＤ＃６」である。同様に、再度ＵＬ信号を送信する際のＳＦＮが「２」であった場合、補正後のＵＥ−ＩＤの候補は「ＩＤ＃７、ＩＤ＃８、ＩＤ＃９」である。同様に、再度ＵＬ信号を送信する際のＳＦＮが「３」であった場合、補正後のＵＥ−ＩＤの候補は「ＩＤ＃１０、ＩＤ＃１１、ＩＤ＃１２」である。つまり、補正方法３によれば、ＳＦＮ／サブフレーム／スロットが変化する度に、補正後のＵＥ−ＩＤの候補が直交化される（つまり、ＳＦＮ／サブフレーム／スロットごとに補正後のＵＥ−ＩＤの候補が重複しない）ことになる。
【００４５】
以上説明した補正方法を用いることで、ユーザ装置ＵＥがＵＬ信号を送信する際の時間によって、ユーザ装置ＵＥが選択するＵＥ−ＩＤにばらつきが生じることになるため、ＵＥ−ＩＤが衝突する可能性を軽減させることができる。
【００４６】
なお、以上説明したＵＥ−ＩＤ候補の補正方法を、図６のステップＳ４５の処理手順を行う際に組み合わせるようにしてもよい。例えば、図６のステップＳ４５の処理手順で、基地局ｅＮＢは、新たなＵＥ−ＩＤを割当てるのではなく、他のユーザ装置ＵＥとＵＥ−ＩＤが重複していることを示すフラグ（例えば１ビット）をユーザ装置ＵＥに通知するようにしてもよい。また、当該フラグを受信したユーザ装置ＵＥは、基地局ｅＮＢから通知された複数のＵＥ−ＩＤの候補に対して所定の演算を行うことでＵＥ−ＩＤの候補を補正し、補正されたＵＥ−ＩＤの候補の中からＵＬ信号を再度送信するために用いるＵＥ−ＩＤを選択するようにしてもよい。これにより、複数のユーザ装置ＵＥ間でＵＥ−ＩＤの重複が発生したことを基地局ｅＮＢが検出した場合にのみ、補正されたＵＥ−ＩＤが用いられるようにすることができる。
【００４７】
＜機能構成＞
以上説明した複数の実施の形態の動作を実行するユーザ装置ＵＥ及び基地局ｅＮＢの機能構成例を説明する。
【００４８】
（ユーザ装置）
図７は、実施の形態に係るユーザ装置の機能構成の一例を示す図である。図７に示すように、ユーザ装置ＵＥは、信号送信部１０１と、信号受信部１０２と、取得部１０３と、選択部１０４とを有する。なお、図７は、ユーザ装置ＵＥにおいて本発明の実施の形態に特に関連する機能部のみを示すものであり、少なくともＬＴＥに準拠した動作を行うための図示しない機能も有するものである。また、図７に示す機能構成は一例に過ぎない。本実施の形態に係る動作を実行できるのであれば、機能区分や機能部の名称はどのようなものでもよい。ただし、これまでに説明したユーザ装置ＵＥの処理の一部（例：特定の１つ又は複数の変形例、具体例のみ等）を実行可能としてもよい。
【００４９】
信号送信部１０１は、ユーザ装置ＵＥから送信されるべき上位のレイヤの信号から、物理レイヤの各種信号を生成し、無線送信する機能を含む。また、信号送信部１０１は、本実施の形態で用いられるアクセス方式で規定される処理手順に従って基地局ｅＮＢに上りリンクの信号を送信する機能を有する。また、信号送信部１０１は、基地局ｅＮＢとの間でＵＥ−ＩＤの衝突解決を行わずに上り共有チャネルの信号を送信する機能を有する。また、信号送信部１０１は、選択部１０４で選択されたＵＥ−ＩＤを用いて上り共有チャネルの信号を送信する機能を有する。また、信号送信部１０１は、任意のランダム値を生成し、生成したランダム値を上り共有チャネルの信号に含めて送信するようにしてもよい。
【００５０】
信号受信部１０２は、他のユーザ装置ＵＥ又は基地局ｅＮＢから各種の信号を無線受信し、受信した物理レイヤの信号からより上位のレイヤの信号を取得する機能を含む。
【００５１】
取得部１０３は、基地局ｅＮＢから複数のＵＥ−ＩＤの候補を取得する機能を有する。
【００５２】
選択部１０４は、複数のＵＥ−ＩＤの候補のうち、いずれか１つのＵＥ−ＩＤを選択する機能を有する。また、選択部１０４は、複数のＵＥ−ＩＤの候補に対して所定の演算を行うことで、複数のＵＥ−ＩＤの候補を補正し、補正された複数のＵＥ−ＩＤの候補のうち、いずれか１つのＵＥ−ＩＤを選択するようにしてもよい。
【００５３】
（基地局）
図８は、実施の形態に係る基地局の機能構成の一例を示す図である。図８に示すように、基地局ｅＮＢは、信号送信部２０１と、信号受信部２０２と、通知部２０３とを有する。なお、図８は、基地局ｅＮＢにおいて本発明の実施の形態に特に関連する機能部のみを示すものであり、少なくともＬＴＥに準拠した動作を行うための図示しない機能も有するものである。また、図８に示す機能構成は一例に過ぎない。本実施の形態に係る動作を実行できるのであれば、機能区分や機能部の名称はどのようなものでもよい。ただし、これまでに説明した基地局ｅＮＢの処理の一部（例：特定の１つ又は複数の変形例、具体例のみ等）を実行可能としてもよい。
【００５４】
信号送信部２０１は、基地局ｅＮＢから送信されるべき上位のレイヤの信号から、物理レイヤの各種信号を生成し、無線送信する機能を含む。信号受信部２０２は、ユーザ装置ＵＥから各種の信号を無線受信し、受信した物理レイヤの信号からより上位のレイヤの信号を取得する機能を含む。
【００５５】
通知部２０３は、ユーザ装置ＵＥに、複数のＵＥ−ＩＤの候補を通知する機能を有する。
【００５６】
以上説明した基地局ｅＮＢ及びユーザ装置ＵＥの機能構成は、全体をハードウェア回路（例えば、１つ又は複数のＩＣチップ）で実現してもよいし、一部をハードウェア回路で構成し、その他の部分をＣＰＵとプログラムとで実現してもよい。
【００５７】
（ユーザ装置）
図９は、実施の形態に係るユーザ装置のハードウェア構成の一例を示す図である。図９は、図７よりも実装例に近い構成を示している。図９に示すように、ユーザ装置ＵＥは、無線信号に関する処理を行うRadio Frequency（ＲＦ）モジュール３０１と、ベースバンド信号処理を行うBase Band（ＢＢ）処理モジュール３０２と、上位レイヤ等の処理を行うＵＥ制御モジュール３０３とを有する。
【００５８】
ＲＦモジュール３０１は、ＢＢ処理モジュール３０２から受信したデジタルベースバンド信号に対して、Digital-to-Analog（Ｄ／Ａ）変換、変調、周波数変換、及び電力増幅等を行うことでアンテナから送信すべき無線信号を生成する。また、受信した無線信号に対して、周波数変換、Analog to Digital（Ａ／Ｄ）変換、復調等を行うことでデジタルベースバンド信号を生成し、ＢＢ処理モジュール３０２に渡す。ＲＦモジュール３０１は、例えば、図７の信号送信部１０１及び信号受信部１０２の一部を含む。
【００５９】
ＢＢ処理モジュール３０２は、ＩＰパケットとデジタルベースバンド信号とを相互に変換する処理を行う。Digital Signal Processor（ＤＳＰ）３１２は、ＢＢ処理モジュール３０２における信号処理を行うプロセッサである。メモリ３２２は、ＤＳＰ３１２のワークエリアとして使用される。ＢＢ処理モジュール３０２は、例えば、図７の信号送信部１０１の一部、信号受信部１０２の一部、選択部１０４及び取得部１０３を含む。
【００６０】
ＵＥ制御モジュール３０３は、ＩＰレイヤのプロトコル処理、各種アプリケーションの処理等を行う。プロセッサ３１３は、ＵＥ制御モジュール３０３が行う処理を行うプロセッサである。メモリ３２３は、プロセッサ３１３のワークエリアとして使用される。ＵＥ制御モジュール３０３は、図７の取得部１０３を含んでいてもよい。
【００６１】
（基地局）
図１０は、実施の形態に係る基地局のハードウェア構成の一例を示す図である。図１０は、図８よりも実装例に近い構成を示している。図１０に示すように、基地局ｅＮＢは、無線信号に関する処理を行うＲＦモジュール４０１と、ベースバンド信号処理を行うＢＢ処理モジュール４０２と、上位レイヤ等の処理を行う装置制御モジュール４０３と、ネットワークと接続するためのインタフェースである通信ＩＦ４０４とを有する。
【００６２】
ＲＦモジュール４０１は、ＢＢ処理モジュール４０２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール４０２に渡す。ＲＦモジュール４０１は、例えば、図８に示す信号送信部２０１及び信号受信部２０２の一部を含む。
【００６３】
ＢＢ処理モジュール４０２は、ＩＰパケットとデジタルベースバンド信号とを相互に変換する処理を行う。ＤＳＰ４１２は、ＢＢ処理モジュール４０２における信号処理を行うプロセッサである。メモリ４２２は、ＤＳＰ４１２のワークエリアとして使用される。ＢＢ処理モジュール４０２は、例えば、図８に示す信号送信部２０１の一部、信号受信部２０２の一部及び通知部２０３を含む。
【００６４】
装置制御モジュール４０３は、ＩＰレイヤのプロトコル処理、Operation and Maintenance（ＯＡＭ）処理等を行う。プロセッサ４１３は、装置制御モジュール４０３が行う処理を行うプロセッサである。メモリ４２３は、プロセッサ４１３のワークエリアとして使用される。補助記憶装置４３３は、例えばＨＤＤ等であり、基地局ｅＮＢ自身が動作するための各種設定情報等が格納される。装置制御モジュール４０３は、例えば、図８に示す通知部２０３を含んでいてもよい。
【００６５】
以上、実施の形態によれば、基地局とユーザ装置とを有する無線通信システムにおけるユーザ装置であって、前記基地局から、複数のユーザ装置識別子の候補を取得する取得部と、前記複数のユーザ装置識別子の候補のうち、いずれか１つのユーザ装置識別子を選択する選択部と、前記基地局との間で当該ユーザ装置が用いるユーザ装置識別子の衝突解決を行わずに、選択された前記いずれか１つのユーザ装置識別子を用いて上り共有チャネルの信号を送信する送信部と、を有するユーザ装置が提供される。このユーザ装置ＵＥにより、ユーザ装置にＵＥ識別子を適切に割り当てることが可能な技術が提供される。
【００６６】
また、前記複数のユーザ装置識別子の候補は前記基地局から当該ユーザ装置に送信されるメッセージに含まれており、前記送信部は任意のランダム値を生成し、生成したランダム値を前記上り共有チャネルの信号に含めて送信するようにしてもよい。これにより、基地局ｅＮＢはＵＥ−ＩＤの衝突を検出することが可能になる。
【００６７】
また、前記選択部は、前記複数のユーザ装置識別子の候補に対して所定の演算を行うことで、前記複数のユーザ装置識別子の候補を補正し、補正された前記複数のユーザ装置識別子の候補のうち、いずれか１つのユーザ装置識別子を選択する、ようにしてもよい。これにより、ユーザ装置ＵＥが選択するＵＥ−ＩＤにばらつきが生じることになるため、ＵＥ−ＩＤが衝突する可能性を軽減させることが可能になる。
【００６８】
また、実施の形態によれば、基地局とユーザ装置とを有する無線通信システムにおけるユーザ装置が実行する通信方法であって、前記基地局から、複数のユーザ装置識別子の候補を取得するステップと、前記複数のユーザ装置識別子の候補のうち、いずれか１つのユーザ装置識別子を選択するステップと、前記基地局との間で当該ユーザ装置が用いるユーザ装置識別子の衝突解決を行わずに、選択された前記いずれか１つのユーザ装置識別子を用いて上り共有チャネルの信号を送信する送信ステップと、を有する通信方法が提供される。この通信方法により、ユーザ装置にＵＥ識別子を適切に割り当てることが可能な技術が提供される。
【００６９】
＜実施形態の補足＞
以上、本発明の実施の形態で説明する各装置（ユーザ装置ＵＥ／基地局ｅＮＢ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００７０】
情報の通知は、本明細書で説明した態様／実施形態に限られず、他の方法で行われてもよい。例えば、情報の通知は、物理レイヤシグナリング（例えば、Downlink  Control  Information（ＤＣＩ）、Uplink  Control  Information（ＵＣＩ））、上位レイヤシグナリング（例えば、ＲＲＣシグナリング、ＭＡＣシグナリング、ブロードキャスト情報（Master  Information  Block（ＭＩＢ）、System  Information  Block（ＳＩＢ）））、その他の信号又はこれらの組み合わせによって実施されてもよい。また、ＲＲＣメッセージは、ＲＲＣシグナリングと呼ばれてもよい。また、ＲＲＣメッセージは、例えば、ＲＲＣ接続セットアップ（RRC Connection Setup）メッセージ、ＲＲＣ接続再構成（RRC Connection Reconfiguration）メッセージなどであってもよい。
【００７１】
本明細書で説明した各態様／実施形態は、Long  Term  Evolution（ＬＴＥ）、LTE-Advanced（ＬＴＥ−Ａ）、ＳＵＰＥＲ  ３Ｇ、ＩＭＴ−Ａｄｖａｎｃｅｄ、４Ｇ、５Ｇ、Future  Radio  Access（ＦＲＡ）、Ｗ−ＣＤＭＡ（登録商標）、ＧＳＭ（登録商標）、ＣＤＭＡ２０００、Ultra  Mobile  Broadband（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ultra-WideBand（ＵＷＢ）、Ｂｌｕｅｔｏｏｔｈ（登録商標）、その他の適切なシステムを利用するシステム及び／又はこれらに基づいて拡張された次世代システムに適用されてもよい。
【００７２】
判定又は判断は、１ビットで表される値（０か１か）によって行われてもよいし、真偽値（Boolean：trueまたはfalse）によって行われてもよいし、数値の比較（例えば、所定の値との比較）によって行われてもよい。
【００７３】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。
【００７４】
ＵＥは、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００７５】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００７６】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００７７】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００７８】
また、本明細書で説明した各態様／実施形態の処理手順、シーケンスなどは、矛盾の無い限り、順序を入れ替えてもよい。例えば、本明細書で説明した方法については、例示的な順序で様々なステップの要素を提示しており、提示した特定の順序に限定されない。
【００７９】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【００８０】
所定の情報の通知（例えば、「Ｘであること」の通知）は、明示的に行うものに限られず、暗黙的（例えば、当該所定の情報の通知を行わない）ことによって行われてもよい。
【００８１】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００８２】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ／基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００８３】
実施の形態において、ＵＥ−ＩＤはユーザ装置識別子の一例である。アクセス応答メッセージは、当該ユーザ装置に送信されるメッセージの一例である。
【００８４】
本国際特許出願は２０１６年３月３１日に出願した日本国特許出願第２０１６−０７３４５９号に基づきその優先権を主張するものであり、日本国特許出願第２０１６−０７３４５９号の全内容を本願に援用する。
【符号の説明】
【００８５】
ＵＥ  ユーザ装置
ｅＮＢ  基地局
１０１  信号送信部
１０２  信号受信部
１０３  取得部
１０４  選択部
２０１  信号送信部
２０２  信号受信部
２０３  通知部
３０１  ＲＦモジュール
３０２  ＢＢ処理モジュール
３０３  ＵＥ制御モジュール
３０４  通信ＩＦ
４０１  ＲＦモジュール
４０２  ＢＢ処理モジュール
４０３  装置制御モジュール
【図１】
2017169825.tif 000003
【図２】
2017169825.tif 000004
【図３】
2017169825.tif 000005
【図４】
2017169825.tif 000006
【図５】
2017169825.tif 000007
【図６】
2017169825.tif 000008
【図７】
2017169825.tif 000009
【図８】
2017169825.tif 000010
【図９】
2017169825.tif 000011
【図１０】
2017169825.tif 000012
【国際調査報告】
2017169825.tif 000013
2017169825.tif 000014
2017169825.tif 000015